(57)【要約】【課題】二本の側柱間で、スクリーンを垂直方向に拡縮自在に展開できるようにした日除けと目隠し機能を兼備したブラインド装置を提供する。【解決手段】二本の側柱１１，１１の相互間に、スクリーン１２４を垂直方向に巻出し、巻取り可能にしたドラムセット１２を担持して、ブラインド装置１を構成する。二本の側柱１１，１１の上柱１１′には、ドラムセット１２を上下方向へ移動可能に固定するジョイント１１１を取付け、ジョイント１１１に上端部を固定したガイドワイヤー１１４を、スクリーン１２４を下端縁部で支持するボトムバー１２５の両端部に設けたバーガイド１２６に挿通し、そして、側柱１１の下柱１１″に取付けたワイヤー固定具１１５に、ガイドワイヤー１１４の下端部を固定して、ガイドワイヤー１１４により、スクリーン１２４を拡縮自在に展開できるようにする。【選択図】　　　　　図１
2004084403.tif 000002
【特許請求の範囲】
【請求項１】
建家の軒天井面と床面間に着脱可能に架設された二本の側柱の相互間に、スクリーンを垂直方向に巻出し、巻取り可能にしたドラムセットを担持してなるブラインド装置であって、前記二本の側柱の各上柱には、前記ドラムセットを上下方向へ移動可能に固定するジョイントを取付け、当該ジョイントに上端部を固定したガイドワイヤーを、スクリーンを下端縁部で支持するボトムバーの両端部に設けたバーガイドに挿通し、そして、前記側柱の各下柱に取付けたワイヤー固定具に各ガイドワイヤーの下端部を固定して、側柱に沿い垂直方向に取付けたガイドワイヤーに案内されて、スクリーンを拡縮自在に展開できるようにしたことを特徴とするブラインド装置。
【請求項２】
二本の側柱は、ブラケットネジが刻設された上柱と当該上柱が内挿される下柱とからなり、前記下柱の上端に取付けたブラケット固定具を介して、前記上柱を伸縮自在にスライド調節して固定できるようにしたことを特徴とする請求項１に記載のブラインド装置。
【請求項３】
ドラムセット内に、スクリーンの巻芯となる円筒コイルバネの側端部にラチェット機構を設けて、スクリーンの下端縁部を支持するボトムバーを引下げて、ドラムセットから目的位置までスクリーンを引出し、また、ボトムバーを緩めて、スクリーンをドラムセットに巻取り収納できるようにしたことを特徴とする請求項１又は請求項２に記載のブラインド装置。
【発明の詳細な説明】
【０００１】
【発明の属する技術分野】
本発明は、建家の軒先に取付けた二本の側柱間で、スクリーンを垂直方向に拡縮自在に展開できるようにした日除けと目隠し機能を兼備したブラインド装置に関する。
【０００２】
【従来の技術】
従来、日除けをつくる目的で、住宅や店舗等の軒先に、ルーフシートを前方に大きく迫出し傾斜させて張設するようにしたシェード装置がよく見受けられる。例えば、図７に示すように、建家の軒天井Ａと床面Ｂ間に着脱可能に架設された二本の側柱７１，７１の上端間に、張出用バー７２を取付けたルーフシート７３が巻取り収納されたシートドラムセット７４を差渡し、上記張出用バー７２の両側端に、バー固定部材７５を介してサイドポール７６の一端を嵌着すると共に、このサイドポール７６の他端を、サイドポール接続部材７７を介し上記側柱７１の中間部に接続固定して、シートドラムセット７４から巻出したルーフシート７３を、軒先前方に迫出させ張設するようにしたシェード装置７０が知られている。
【０００３】
上記シェード装置７０は、サイドポール７６に支えられてルーフシート７３が軒先前方に迫出すので、その取付け投影面積が大きくなって、シェード装置７０の設置には相応の広い面積が必要になる。また、ルーフシート７３を繰出すシートドラムセット７４が建家に作り付けにされていたり、ルーフシート７３の取付け高さが調整自在になっていないので、シェード装置７０を建家に取付けたり取外したりする作業に手間が掛ると共に、実際にシェード装置７０を取扱い使用する上で不便であるという問題がある。
【０００４】
【発明が解決しようとする課題】
本発明は、上述の建家のシェード装置に見られるような課題を解決すべく為されたものであって、二本の側柱に沿わせ取付けたガイドワイヤーにより、スクリーンを垂直方向に張設できるようにして、狭い場所でもブラインド装置の取付けを可能にし、また、二本の側柱間に差渡し担持されるドラムセットの取付け高さ位置を調節自在にすると共に、スクリーンを所望の広さに拡縮調整して展開できるようになし、なお且つ、ブラインド装置を建家の軒先に簡単且つ確実に取付けでき、また、簡単にこれを取外しできるようにしたブラインド装置を提供せんとするものである。
【０００５】
【課題を解決するための手段】
上記課題を解決するための本発明の要旨とするところは、建家の軒天井面と床面間に着脱可能に架設された二本の側柱の相互間に、スクリーンを垂直方向に巻出し、巻取り可能にしたドラムセットを担持してなるブラインド装置であって、前記二本の側柱の各上柱には、前記ドラムセットを上下方向へ移動可能に固定するジョイントを取付け、当該ジョイントに上端部を固定したガイドワイヤーを、スクリーンを下端縁部で支持するボトムバーの両端部に設けたバーガイドに挿通し、そして、前記側柱の各下柱に取付けたワイヤー固定具に各ガイドワイヤーの下端部を固定して、側柱に沿い垂直方向に取付けたガイドワイヤーに案内されて、スクリーンを拡縮自在に展開できるようにしたことを特徴とするブラインド装置である。
【０００６】
【発明の実施の形態】
以下、本発明のブラインド装置の好適な実施形態について、図面に基づき具体的に説明する。
図１は本発明のブラインド装置を示す正面図と側面図であり、図２は本発明で用いる側柱を示す斜視図であり、図３は本発明でジョイントを介して上柱にドラムセットを取付ける状態を示す斜視図であり、図４は本発明でジョイントからワイヤー固定具間にガイドワイヤーを張設する状態を示す斜視図であり、図５は本発明により調節されるスクリーンの張設高さを比較する正面図であり、図６は本発明により調節されるスクリーンの展開幅を比較する正面図である。
【０００７】
本発明は、図示したように、建家の軒天井面Ａと床面Ｂ間に着脱可能に架設された二本の側柱１１，１１の相互間に、スクリーン１２４を垂直方向に巻出し、巻取り可能にしたドラムセット１２を担持してなるブラインド装置１であって、上記二本の側柱１１，１１の各上柱１１′，１１′には、上記ドラムセット１２を上下方向へ移動可能に固定するジョイント１１１を取付け、このジョイント１１１に上端部を固定したガイドワイヤー１１４を、スクリーン１２４を下端縁部で支持するボトムバー１２５の両端部に設けたバーガイド１２６に挿通し、そして、上記側柱１１の各下柱１１″，１１″に取付けたワイヤー固定具１１５に各ガイドワイヤー１１４，１１４の下端部を固定して、側柱１１に沿い垂直方向に取付けたガイドワイヤー１１４に案内されて、スクリーン１２４を拡縮自在に展開できるようにしたことを特徴とするものである。
【０００８】
そして、上記二本の側柱１１，１１は、ブラケットネジ１１２が刻設された上柱１１′とこの上柱１１′が内挿される下柱１１″とからなり、上記下柱１１″の上端に取付けたブラケット固定具１１３を介して、上記上柱１１′を伸縮自在にスライド調節して固定できるようにしたことを特徴とするものである。
【０００９】
また、上記ドラムセット１２内に、スクリーン１２４の巻芯となる円筒コイルバネ１２２の側端部にラチェット機構１２３を設けて、スクリーン１２４の下端縁部を支持するボトムバー１２５を引下げて、ドラムセット１２から目的位置までスクリーン１２４を引出し、また、ボトムバー１２５を緩めて、スクリーン１２４をドラムセット１２に巻取り収納できるようにしたことを特徴とするものである。
【００１０】
本発明は、上述の如く、ドラムセット１２からスクリーン１２４を二本の側柱１１，１１に沿って垂直方向に巻出し、巻取り可能にしたブラインド装置１であるので、必然的に、ブラインド装置１が占める投影面積が少なくなり、狭い場所であっても設置可能であるという作用効果が得られる。
【００１１】
また、二本の側柱１１，１１の各上柱１１′，１１′には、スクリーン１２４を収納するドラムセット１２を上下方向へ移動可能に固定するジョイント１１１が取付けられているので、季節による太陽光の日照角度や建家の軒先構造に対応させて、スクリーン１２４の上下方向の張設位置を変えることができるという作用効果が得られる。
【００１２】
そして、ドラムセット１２を移動可能に上柱１１′に固定したジョイント１１１から、下柱１１″，１１″に取付けたワイヤー固定具１１５間に亘り張設したガイドワイヤー１１４により、スクリーン１２４を下支えするボトムバー１２５の両端部に設けたバーガイド１２６が、側柱１１に沿い垂直方向にスライド自在になっているので、上記ボトムバー１２５をスライド移動させて、スクリーン１２４の展開面積を拡縮自在に設定すれば、日除け、目隠しのためのスクリーン１２４の張設広さを希望通りに変更することができるという作用効果を奏するものである。
【００１３】
更に、ブラインド装置１の側柱１１を、ブラケット固定具１１３及びラチェット１３を介し伸縮自在に高さ調節して、軒天井面Ａと床面Ｂ間に突っ張り固定することができるので、側柱１１を確実強固に取付けできると共に、取付け作業が簡易化され、施工工数が少なくて済むという作用効果が得られる。
【００１４】
【実施例】
本発明のブラインド装置１は、基本的に、上柱１１′及び下柱１１″間で伸縮自在になした二本の側柱１１，１１と、当該側柱１１，１１間に担持されるスクリーン１２４が収納されたドラムセット１２と、スクリーン１２４を二本の側柱１１，１１沿いに垂直方向に案内し、保持するガイドワイヤー１１４等から構成されている。
【００１５】
詳しくは、図２に示すように、上記二本の側柱１１，１１には、各々の上柱１１′の上端に上部パッド１４と、各々の下柱１１″の下端に下部パッド１４′が取着され、また、当該下部パッド１４′の直上には高さ微調整用のラチェット１３が取付けられている。そして、上記上柱１１′にはその縦方向の一側にブラケットネジ１１２が刻設されており、このブラケットネジ１１２が刻設された上柱１１′に、ドラムセット１２を担持するジョイント１１１が、スライド調整自在に固定される。
【００１６】
一方、下柱１１″の上端には、上記ブラケットネジ１１２に歯合させて、上柱１１′を長さ調整自在に固定するためのブラケット固定具１１３が取付けられると共に、下柱１１″の途中には、ワイヤー固定具１１５がスライド調整自在に取付けられ、上記上柱１１′に固定されたジョイント１１１から垂設されるガイドワイヤー１１４の下端部が、上記ワイヤー固定具１１５で固定されるようになっている。
【００１７】
次に、上記側柱１１，１１間に担持されるドラムセット１２は、図３に示すように、ドラム本体１２′と両端部にバーガイド１２６を備えたボトムバー１２５とから構成されている。そして、上記ドラム本体１２′の中芯に円筒コイルバネ１２２が配設され、この円筒コイルバネ１２２の側端部にラチェット機構１２３が組込まれ、また、円筒コイルバネ１２２にスクリーン１２４が巻回されて、これらがドラムカバー１２″で覆われている。そして、ドラム本体１２′の両端部には、上記上柱１１′に固定されたジョイント１１１に担持されるドラム支軸１２１が突設されている。
【００１８】
また、スクリーン１２４を二本の側柱１１，１１沿いに垂直方向に案内し、保持するためのガイドワイヤー１１４は、図４に示すように、その上端部が、上柱１１′に固定されたジョイント１１１に取付けられ、そして、スクリーン１２４を下支えするボトムバー１２５の両端部に形成したバーガイド１２６に通されたのち、ガイドワイヤー１１４の下端部が、下柱１１″の途中に取付けられるワイヤー固定具１１５に固定されて、ガイドワイヤー１１４が、ジョイント１１１とワイヤー固定具１１５間にピーンと張った状態に取付けられる。
【００１９】
以下、本発明の取付け手順について記述する。
先ず、建家の軒天井Ａと床面Ｂ間に所定間隔を隔てて二本の側柱１１，１１を立設するが、この際、軒天井Ａと床面Ｂとの間隔相当の長さとなるように、下柱１１″から上柱１１′を引出し、ブラケット固定具１１３で固定してから、下部パッド１４′の直上に取付けたラチェット１３を利用して、突っ張り強度を微調整する。
【００２０】
次いで、図３、図４に示すように、上柱１１′の所定の高さ位置にジョイント１１１を固定すると共に、下柱１１″の所定の高さ位置にワイヤー固定具１１５を固定したのち、ジョイント１１１のワイヤー取付部１１１″に、ガイドワイヤー１１４の上端部を固定しておく。そして、ジョイント１１１の受座１１１′に、矢印で示すように、ドラムセット１２の支軸１２１を担持させる。しかるのち、ボトムバー１２５の両端部に形成したバーガイド１２６の透孔に、上端部が固定されて垂れ下がっているガイドワイヤー１１４を通し、そして、ガイドワイヤー１１４の下端部を、下柱１１″に固定されているワイヤー固定具１１５のワイヤー取付け部１１５′に括り付け固定する。
【００２１】
本発明は、ドラムセットからスクリーンを二本の側柱に沿って垂直方向に巻出し、巻取り可能にしたブラインド装置であるので、ブラインド装置が占める投影面積が少なくなり、狭い場所であっても設置可能であるという作用効果が得られる。即ち、図１に示すように、投影面積は正面間隔Ｓ１×側面間隔Ｓ２となり、ブラインド装置の設置面積は少なくて済む。
【００２２】
また、二本の側柱の各上柱には、スクリーンを収納するドラムセットを上下方向へ移動可能に固定するジョイントが取付けられているので、図５に示すように、スクリーンの張設高さを、左図のｈ１の状態から右図のｈ２の状態に至る範囲内で調節することができ、また、上柱に固定したジョイントから、下柱に取付けたワイヤー固定具間に亘り張設したガイドワイヤーにより、スクリーンを下支えするボトムバーの両端部に設けたバーガイドが、側柱に沿い垂直方向にスライド自在になっているので、図６に示すように、スクリーンの展開範囲を、左図のｄ１の展開幅から右図のｄ２の展開幅に至る範囲内で調節することができるという作用効果が得られる。
【００２３】
更に、ブラインド装置の側柱を、ブラケット固定具及びラチェットを介し伸縮自在に高さ調節して、軒天井面と床面間に突っ張り固定することができるので、側柱を確実強固に取付けできると共に、取付け作業が簡易化され、施工工数が少なくて済むという作用効果が得られる。
【図面の簡単な説明】
【図１】本発明のブラインド装置を示す正面図と側面図である。
【図２】本発明で用いる側柱を示す斜視図である。
【図３】本発明でジョイントを介して上柱にドラムセットを取付ける状態を示す斜視図である。
【図４】本発明でジョイントからワイヤー固定具間にガイドワイヤーを張設する状態を示す斜視図ある。
【図５】本発明により調節されるスクリーンの張設高さを比較する正面図である。
【図６】本発明により調節されるスクリーンの展開幅を比較する正面図である。
【図７】従来例を示す斜視図である。
【符号の説明】
１　　　　ブラインド装置
１１　　　側柱
１１′　　上柱
１１″　　下柱
１１１　　ジョイント
１１１′　受座
１１１″　ワイヤー取付部
１１２　　ブラケットネジ
１１３　　ブラケット固定具
１１４　　ガイドワイヤー
１１５　　ワイヤー固定具
１１５′　ワイヤー取付部
１２　　　ドラムセット
１２１　　ドラム支軸
１２２　　円筒コイルバネ
１２３　　ラチェット機構
１２４　　スクリーン
１２５　　ボトムバー
１２６　　バーガイド
１３　　　微調整ラチェット
Ａ　　　　軒天井面
Ｂ　　　　床面
【図１】
2004084403.tif 000003
【図２】
2004084403.tif 000004
【図３】
2004084403.tif 000005
【図４】
2004084403.tif 000006
【図５】
2004084403.tif 000007
【図６】
2004084403.tif 000008
【図７】
2004084403.tif 000009